(57)【特許請求の範囲】
【請求項１】
第１の通信方法で通信する第１の通信部と第２の通信方法で通信する第２の通信部とを備える通信装置であって、
前記第２の通信部は、
第２の通信方法によるポーリング電文を外部に送出し、
当該ポーリング電文に対する応答が送信された後、前記第１の通信部から第１の通信方法によるポーリング電文が送信されたなら、当該ポーリング電文をデータとした第２の通信方法による電文を外部に送出し、
当該電文に対する応答の電文から第１の通信方法によるポーリング電文への応答を取り出し、前記第１の通信部へ送信する
ことを特徴とする通信装置。
【請求項２】
請求項１記載の通信装置とともに使用される通信装置であって、
第１の通信方法で通信する第１の通信部と第２の通信方法で通信する第２の通信部とを備え、
前記第２の通信部は、
外部からの第２の通信方法によるポーリング電文に対する応答を外部に送出し、
外部からの第２の通信方法による電文から第１の通信方法によるポーリング電文を取り出し、前記第１の通信部へ送信し、当該ポーリング電文に対する前記第１の通信部からの応答をデータとした第２の通信方法による電文を外部に送出する
ことを特徴とする通信装置。
【請求項３】
第１の通信方法で通信する第１の通信部と第２の通信方法で通信する第２の通信部とを備える通信装置の動作方法であって、
前記第２の通信部が、第２の通信方法によるポーリング電文を外部に送出し、
前記第２の通信部が、当該ポーリング電文に対する応答が送信された後、前記第１の通信部から第１の通信方法によるポーリング電文が送信されたなら、当該ポーリング電文をデータとした第２の通信方法による電文を外部に送出し、
前記第２の通信部が、当該電文に対する応答の電文から第１の通信方法によるポーリング電文への応答を取り出し、前記第１の通信部へ送信する
ことを特徴とする通信装置の動作方法。
【請求項４】
請求項１記載の通信装置とともに使用される通信装置の動作方法であって、
当該通信装置は、第１の通信方法で通信する第１の通信部と第２の通信方法で通信する第２の通信部とを備え、
前記第２の通信部が、外部からの第２の通信方法によるポーリング電文に対する応答を外部に送出し、
前記第２の通信部が、外部からの第２の通信方法による電文から第１の通信方法によるポーリング電文を取り出し、前記第１の通信部へ送信し、当該ポーリング電文に対する前記第１の通信部からの応答をデータとした第２の通信方法による電文を外部に送出する
ことを特徴とする通信装置の動作方法。
【発明の詳細な説明】
【技術分野】
【０００１】
本発明は、通信装置およびその動作方法に関するものである。
【背景技術】
【０００２】
近年にあっては、非接触ＩＣカードを使った入退室システムや改札システムが増えている。
【０００３】
これらのシステムは、ポーリングコマンドを作成する上位装置（例えば入退管理サーバ）と、ポーリングコマンドを所定の通信方法によるポーリング電文へ変換し送出する中継装置（例えばＩＣカードＲＷ）と、任意の通信手段と通信する変換部および入退時に必要な識別情報を管理する識別情報管理部を有するモバイル端末（例えばＩＣカード）とを備える構成になっており、上位装置がポーリングコマンドを中継装置へ送り、中継装置はそれをトリガーにして任意の間隔でポーリング電文を繰り返し送出し、モバイル端末を検知している。
【先行技術文献】
【非特許文献】
【０００４】
【非特許文献１】ワイヤレスカードシステムの応用  技術資料  ＡＲＩＢ  ＴＲ−Ｔ１０  １．０版、Ｐ．１３、［ｏｎｌｉｎｅ］、社団法人  電波産業会、［平成２２年６月１４日検索］、インターネット＜ＵＲＬ：  ｈｔｔｐ：／／ｗｗｗ．ａｒｉｂ．ｏｒ．ｊｐ／ｅｎｇｌｉｓｈ／ｈｔｍｌ／ｏｖｅｒｖｉｅｗ／ｄｏｃ／３−ＴＲ−Ｔ１０ｖ１＿０．ｐｄｆ＞
【発明の概要】
【発明が解決しようとする課題】
【０００５】
ところで、既存の入退室システムに、非接触ＩＣカードに使用される通信方法だけでなく、ＰＡＮ（Ｐｅｒｓｏｎａｌ  Ａｒｅａ  Ｎｅｔｗｏｒｋ）や電界通信等の通信方法も使用できるようにし、既存の通信方法によるポーリング電文は変更せず、変更を最小限にして、新たな通信方法を使用できるようにしたい場合、下記の制約が発生する。
【０００６】
１）既存の通信方法によるポーリング電文にタイムスタンプや送信カウント値がついている場合は、ポーリング電文をモバイル端末まで送り、その結果を既存の通信部へ戻す必要がある。
【０００７】
２）そのポーリング電文は、新たな通信方法を使用する通信部にはデータにしか見えない。そのため、新たな通信部は、既存の通信方法によるポーリング電文を含む電文を新たな通信方法により送信し、応答の電文から既存の通信方法によるポーリング電文への応答を取り出し、既存の通信部に送信する必要がある。
【０００８】
３）ポーリング処理において、既存サービスと比べ新規通信サービスで実施する場合、新たな通信部のポーリング処理と、新たな通信部による既存のポーリング電文の送受信処理（通信時間で約３ｍＳ程。これに各機器処理時間が追加される）が加わる。
【０００９】
既存の入退室システムでは、ポーリング間隔は３０ｍＳ〜２Ｓ程である。ここでは３０ｍＳのタイムアウトを考えると、非特許文献１の例を基に新たな通信方法を使用した場合、ポーリング通信合計時間は約５．６ｍＳになるため、ポーリング時の各通信装置での処理時間合計は約２４．４ｍＳ以内に収めなければタイムアウトになる。各通信装置でのポーリング処理時間が平均２．５ｍＳ以上である場合はタイムアウトが発生し、ポーリング処理だけで５４ｍＳ以上かかる。ポーリング以外の通信及び各通信装置での処理時間は約１８０ｍＳであるため合計で２３４ｍＳ以上かかかることになる。非特許文献１と同様に入退室システムのサービス処理を２００ｍＳ程と考えた場合、３４ｍＳ以上の遅延が発生する問題がある。
【００１０】
図４は、従来の通信システムの動作を示すシーケンス図であり、通信装置１Ａ、２の間の距離が長く通信範囲外の場合の様子を示すものである。
【００１１】
通信装置１Ａでは、通信部１２が既存の通信部、通信部１３Ａが新たな通信部である。また、通信装置２では、通信部２２が既存の通信部、通信部２３が新たな通信部である。
【００１２】
情報処理部１１は、通信装置１Ａが起動されると、通信部１２にポーリングコマンドを送信し（Ｔ１０１）、通信部１２は、ポーリングコマンドが送信されたら、無線通信方法Ｍによるポーリング電文を作成し、通信部１３Ａに送信する（Ｔ１０２）。
【００１３】
通信部１３Ａは、無線通信方法Ｍによりポーリング電文を受信したなら、無線通信方法Ｎによるポーリング電文を作成し、無線通信方法Ｎにより外部に送出する（Ｔ１０３）。
【００１４】
通信装置１Ａ、２の間の距離が長く通信範囲外であると、通信部１３Ａからの無線通信方法Ｎによるポーリング電文は通信装置２に届かず、通信部１３Ａは、やがてタイムアウトとなる。
【００１５】
通信部１２は、通信部１３Ａからの応答がないので、タイムアウトとポーリング電文の送信を繰り返す。
【００１６】
図５は、従来の通信システムの動作を示すシーケンス図であり、通信装置１Ａ、２の間の距離が短く通信範囲内の場合の様子を示すものである。
【００１７】
情報処理部１１は、通信装置１Ａが起動されると、通信部１２にポーリングコマンドを送信し（Ｔ１０１）、通信部１２は、ポーリングコマンドが送信されたら、無線通信方法Ｍによるポーリング電文を作成し、通信部１３Ａに送信する（Ｔ１０２）。
【００１８】
通信部１３Ａは、無線通信方法Ｍによりポーリング電文を受信したなら、無線通信方法Ｎによるポーリング電文を作成し、無線通信方法Ｎにより外部に送出する（Ｔ１０３）。
【００１９】
通信部２３は、無線通信方法Ｎによりポーリング電文を受信したなら、ポーリング電文に対する応答の電文を作成し、応答の電文を無線通信方法Ｎにより外部に送出する（Ｔ１１１）。
【００２０】
通信部１３Ａは、無線通信方法Ｎにより応答の電文を受信したなら、それが肯定応答であることを条件に、応答の送信元つまり通信部２３とで無線通信方法Ｎによる通信が可能となるように準備を行う。
【００２１】
通信部１３Ａは、通信部２３との無線通信方法Ｎによる通信が可能となったなら、先に受信していた無線通信方法Ｍによりポーリング電文をデータとして含む無線通信方法Ｎによる電文を作成し、通信部２３に送信する（Ｔ１１３）。
【００２２】
通信部２３は、無線通信方法Ｎにより電文を受信し、電文からデータつまり無線通信方法Ｍによるポーリング電文を取り出し、無線通信方法Ｍにより通信部２２に送信する（Ｔ１１５）。
【００２３】
通信部２２は、無線通信方法Ｍによりポーリング電文を受信し、ポーリング電文をポーリングコマンドに変換し、ポーリングコマンドを情報処理部２１に送信する（Ｔ１１７）。
【００２４】
情報処理部２１は、ポーリングコマンドを受信し、ポーリングコマンドに対する応答コマンド（例えば、肯定応答のコマンド）を作成し、応答コマンドを通信部２２に送信する（Ｔ１１９）。
【００２５】
通信部２２は、応答コマンドを無線通信方法Ｍによるポーリング電文に対する応答の電文に変換し、無線通信方法Ｍにより通信部２３に送信する（Ｔ１２１）。
【００２６】
通信部２３は、無線通信方法Ｍにより電文を受信し、無線通信方法Ｍによる電文をデータとして含む無線通信方法Ｎによる電文を生成し、無線通信方法Ｎにより通信部１３Ａに送信する（Ｔ１２３）。
【００２７】
通信部１３Ａは、無線通信方法Ｎにより電文を受信し、無線通信方法Ｎによる電文からデータつまり無線通信方法Ｍによるポーリング電文に対する応答の電文を取り出し、無線通信方法Ｍにより通信部１２に送信する（Ｔ１２５）。
【００２８】
ところが、通信部１２のポーリング電文（Ｔ１０２）が、応答の電文を受信する前にタイムアウト（時刻ｔ１）となると、つまり、通信部１３Ａに無線通信方法Ｍによるポーリング電文を送信（Ｔ１０２）してから所定の長さの時間が経過した時刻ｔ１後に通信部１２が応答の電文を受信しても（Ｔ１２５）、通信部１２は、既に時刻ｔ１において通信部１３Ａに無線通信方法Ｍによるポーリング電文を再び送信している（Ｔ１３１）。
【００２９】
通信部１３Ａは、通信部２３とで無線通信方法Ｎによる通信が可能となっているので、無線通信方法Ｎによるポーリング電文は送信せず、無線通信方法Ｍによるポーリング電文をデータとして含む無線通信方法Ｎによる電文を通信部２３に送信する（Ｔ１３３）。
【００３０】
通信部２３は、無線通信方法Ｎにより電文を受信し、電文からデータつまり無線通信方法Ｍによるポーリング電文を取り出し、無線通信方法Ｍにより通信部２２に送信する（Ｔ１３５）。
【００３１】
通信部２２は、無線通信方法Ｍによりポーリング電文を受信し、ポーリング電文をポーリングコマンドに変換し、ポーリングコマンドを情報処理部２１に送信する（Ｔ１３７）。
【００３２】
情報処理部２１は、ポーリングコマンドを受信し、ポーリングコマンドに対する応答コマンド（例えば、肯定応答のコマンド）を作成し、応答コマンドを通信部２２に送信する（Ｔ１３９）。情報処理部２１は、情報処理部２１を示す識別子を予め有し、これを応答コマンドに含ませる。
【００３３】
通信部２２は、応答コマンドを無線通信方法Ｍによるポーリング電文に対する応答の電文に変換し、無線通信方法Ｍにより通信部２３に送信する（Ｔ１４１）。
【００３４】
通信部２３は、無線通信方法Ｍにより電文を受信し、無線通信方法Ｍによる電文をデータとして含む無線通信方法Ｎによる電文を生成し、無線通信方法Ｎにより通信部１３Ａに送信する（Ｔ１４３）。
【００３５】
通信部１３Ａは、無線通信方法Ｎにより電文を受信し、無線通信方法Ｎによる電文からデータつまり無線通信方法Ｍによるポーリング電文に対する応答の電文を取り出し、無線通信方法Ｍにより通信部１２に送信する（Ｔ１４５）。
【００３６】
通信部１３Ａは、今度は、無線通信方法Ｎによるポーリング電文を送信しなかったので、例えば、通信部１２は、タイムアウトとなる前に応答の電文を受信する。
【００３７】
通信部１２は、無線通信方法Ｍにより応答の電文を受信したなら、電文を情報処理部２１が作成した応答コマンドに変換し、情報処理部１１に有線にて送信する（Ｔ１４７：時刻ｔ２）。
【００３８】
さて、図５は、通信装置１Ａ、２の間の距離が短く通信範囲内の場合の様子を示しているが、通信装置１Ａ、２が次第に近づいていく場合には、以下のようなことが発生する。
【００３９】
例えば、通信部１３Ａからのポーリング電文（Ｔ１０３）が通信装置２に届くまで通信装置１Ａ、２が近づいた時刻が時刻ｔ１の直前だった場合、通信部１３Ａのポーリング電文（Ｔ１０３）は既にタイムアウトとなっているので、通信部１３Ａは、通信部１２がタイムアウトとなって、無線通信方法Ｍによるポーリング電文を再び送信してくる（Ｔ１０２）まで待ち、再びポーリング電文（Ｔ１０３）を送信し、応答（Ｔ１１１）を受信しなければならない。そのため、通信部１２、２２間のポーリングは時刻ｔ２には終わらず、ポーリングが終わるのは、通信部１２のポーリング電文が再びタイムアウトとなった後になってしまう。
【００４０】
本発明は、上記の課題に鑑みてなされたものであり、その目的とするところは、２つの通信方法を使用する通信装置におけるポーリングを早期に終了させることのできる技術を提供することにある。
【課題を解決するための手段】
【００４１】
上記の課題を解決するために、第１の本発明は、第１の通信方法で通信する第１の通信部と第２の通信方法で通信する第２の通信部とを備える通信装置であって、前記第２の通信部は、第２の通信方法によるポーリング電文を外部に送出し、当該ポーリング電文に対する応答が送信された後、前記第１の通信部から第１の通信方法によるポーリング電文が送信されたなら、当該ポーリング電文をデータとした第２の通信方法による電文を外部に送出し、当該電文に対する応答の電文から第１の通信方法によるポーリング電文への応答を取り出し、前記第１の通信部へ送信することを特徴とする。
【００４２】
第２の本発明は、第１の本発明に係る通信装置とともに使用される通信装置であって、第１の通信方法で通信する第１の通信部と第２の通信方法で通信する第２の通信部とを備え、前記第２の通信部は、外部からの第２の通信方法によるポーリング電文に対する応答を外部に送出し、外部からの第２の通信方法による電文から第１の通信方法によるポーリング電文を取り出し、前記第１の通信部へ送信し、当該ポーリング電文に対する前記第１の通信部からの応答をデータとした第２の通信方法による電文を外部に送出することを特徴とする。
【００４３】
第３の本発明は、第１の通信方法で通信する第１の通信部と第２の通信方法で通信する第２の通信部とを備える通信装置の動作方法であって、前記第２の通信部が、第２の通信方法によるポーリング電文を外部に送出し、前記第２の通信部が、当該ポーリング電文に対する応答が送信された後、前記第１の通信部から第１の通信方法によるポーリング電文が送信されたなら、当該ポーリング電文をデータとした第２の通信方法による電文を外部に送出し、前記第２の通信部が、当該電文に対する応答の電文から第１の通信方法によるポーリング電文への応答を取り出し、前記第１の通信部へ送信することを特徴とする。
【００４４】
第４の本発明は、第１の本発明に係る通信装置とともに使用される通信装置の動作方法であって、当該通信装置は、第１の通信方法で通信する第１の通信部と第２の通信方法で通信する第２の通信部とを備え、前記第２の通信部が、外部からの第２の通信方法によるポーリング電文に対する応答を外部に送出し、前記第２の通信部が、外部からの第２の通信方法による電文から第１の通信方法によるポーリング電文を取り出し、前記第１の通信部へ送信し、当該ポーリング電文に対する前記第１の通信部からの応答をデータとした第２の通信方法による電文を外部に送出することを特徴とする。
【発明の効果】
【００４５】
本発明によれば、２つの通信方法を使用する通信装置におけるポーリングを早期に終了させることのできる技術を提供することができる。
【図面の簡単な説明】
【００４６】
【図１】本実施の形態に係る通信システムの構成図である。
【図２】通信装置１の通信部１３における処理の流れを示すフローチャートである。
【図３】通信システムの動作を示すシーケンス図である。
【図４】従来の通信システムの動作を示すシーケンス図であり、通信装置１Ａ、２の間の距離が長く通信範囲外の場合の様子を示すものである。
【図５】従来の通信システムの動作を示すシーケンス図であり、通信装置１Ａ、２の間の距離が短く通信範囲内の場合の様子を示すものである。
【発明を実施するための形態】
【００４７】
以下、本発明の実施の形態について図面を参照して説明する。
【００４８】
図１は、本実施の形態に係る通信システムの構成図である。
【００４９】
通信装置１は、通信装置２内の情報を用いて情報処理を行う情報処理部１１と、情報処理部１１と有線で接続された通信部１２と、無線通信方法Ｍ（例えば、非接触カードに使用される）によって通信部１２と通信し、通信装置２とは無線通信方法Ｎ（例えば、電界通信）によって通信する通信部１３を備える。
【００５０】
通信部１３は、通信装置１に新たに設けられたものであり、通信部１３が設けられる前の通信装置１は通信装置２と、つまり、通信部１２は、無線通信方法Ｍによって、通信装置２と通信していた。
【００５１】
しかし、通信部１３が設けられてからは、通信装置１は通信装置２と、つまり、通信部１３は、新たな通信方法、つまり、無線通信方法Ｍとは異なる無線通信方法Ｎで、通信装置２と通信する。
【００５２】
通信部１３は、無線通信方法Ｍによって通信部１２と通信する中継部１３１と、中継部１３１と有線で接続され、無線通信方法Ｎで通信装置２と通信する中継部１３２とを備える。
【００５３】
通信装置２は、通信装置１にとって必要な情報を有する情報処理部２１と、情報処理部２１と有線で接続された通信部２２と、無線通信方法Ｍによって通信部２２と通信し、通信装置１とは無線通信方法Ｎによって通信する通信部２３を備える。
【００５４】
通信部２３は、通信装置２に新たに設けられたものであり、通信部２３が設けられる前の通信装置２は通信装置１と、つまり、通信部２２は、無線通信方法Ｍによって、通信装置１と通信していた。
【００５５】
しかし、通信部２３が設けられてからは、通信装置２は通信装置１と、つまり、通信部２３は、無線通信方法Ｎで、通信装置２と通信する。
【００５６】
通信部２３は、無線通信方法Ｍによって通信部２２と通信する中継部２３１と、中継部２３１と有線で接続され、無線通信方法Ｎで通信装置１（つまり通信装置１の中継部１３２）と通信する中継部２３２とを備える。
【００５７】
図２は、通信装置１の通信部１３における処理の流れを示すフローチャートである。
【００５８】
通信部１３の中継部１３２は、無線通信方法Ｎによるポーリング電文を作成し（Ｓ１）、無線通信方法Ｎにより外部に送出する（Ｓ３）。
【００５９】
次に、通信部１３の中継部１３２は、ポーリング電文に対する応答が送信されたか否かを判定する（Ｓ５）。通信部１３の中継部１３２は、応答が送信されていないと判定したら（Ｓ５：ＮＯ）、タイムアウト（ステップＳ３の時刻から所定の時間が経過した）か否かを判定し（Ｓ７）、タイムアウトでないなら、ステップＳ５へ、タイムアウトなら、ステップＳ１へ戻る。
【００６０】
通信部１３の中継部１３２は、応答が送信されたなら（Ｓ５：ＹＥＳ）、それが肯定応答であることを条件に、応答の送信元つまり通信部２３とで無線通信方法Ｎによる通信が可能となるように準備を行う（接続状態への移行）（Ｓ９）。
【００６１】
次に、通信部１３の中継部１３１は、通信部１２から通信部１３の中継部１３１に無線通信方法Ｍによるポーリング電文が送信されたか否かを判定する（Ｓ１１）。通信部１３の中継部１３１は、ポーリング電文が送信されていないと判定したら、ステップＳ１１へ戻る。
【００６２】
通信部１３の中継部１３１は、ポーリング電文が送信されたなら（Ｓ１１：ＹＥＳ）、この無線通信方法Ｍによるポーリング電文を有線にて通信部１３の中継部１３２に送信し、通信部１３の中継部１３２は、送信された無線通信方法Ｍによるポーリング電文をデータとした無線通信方法Ｎによる電文を作成し（Ｓ１３）、無線通信方法Ｎにより相手つまり通信部２３に送信する（Ｓ１５）。
【００６３】
次に、通信部１３の中継部１３２は、通信部１３の中継部１３２に無線通信方法Ｎによる電文が送信されたか否かを判定する（Ｓ１７）。
【００６４】
この電文は、通信部１２から通信部１３の中継部１３１に送信された無線通信方法Ｍによるポーリング電文に対する応答つまり無線通信方法Ｍによる応答をデータとして含む無線通信方法Ｎによる電文である。
【００６５】
通信部１３の中継部１３２は、無線通信方法Ｎによる電文が送信されていないと判定したら（Ｓ１７：ＮＯ）、タイムアウト（ステップＳ１５の時刻から所定の時間が経過した）か否かを判定し（Ｓ１９）、タイムアウトでないなら、ステップＳ１７へ、タイムアウトなら、ステップＳ１へ戻る。
【００６６】
通信部１３の中継部１３２は、無線通信方法Ｎによる電文が送信されたなら（Ｓ１７：ＹＥＳ）、この無線通信方法Ｎによる電文からデータつまり無線通信方法Ｍによるポーリング電文への応答を取り出し（Ｓ２１）、通信部１３の中継部１３１へ送信し、通信部１３の中継部１３１は、応答を通信部１２に送信し（Ｓ２３）、処理を終える。
【００６７】
図３は、通信システムの動作を示すシーケンス図である。
【００６８】
図３は、通信装置１、２が互いに近づき、通信が開始される様子を示すものである。
【００６９】
通信部１３は、通信装置１が起動されると、無線通信方法Ｎによるポーリング電文を外部に送出する（Ｔ１）。
【００７０】
通信装置１、２の間の距離が長いと、通信部１３からの無線通信方法Ｎによるポーリング電文は通信装置２に届かず、通信部１３は、タイムアウトとポーリング電文の送信を繰り返す。
【００７１】
情報処理部１１は、通信装置１が起動されると、通信部１２に有線にてポーリングコマンドを送信し（Ｔ２）、通信部１２は、ポーリングコマンドが送信されたら、無線通信方法Ｍによるポーリング電文を作成し、通信部１３に送信する（Ｔ３）。
【００７２】
通信部１２も、通信部１３から通信部１２に応答が送信されないので、タイムアウトと無線通信方法Ｍによるポーリング電文の送信を繰り返す。
【００７３】
情報処理部１１については、ここでは、タイムアウトとなるような設定がなされていないこととする。よって、情報処理部１１は、ポーリングコマンドに対する応答を待機する。
【００７４】
通信装置１、２が互いに近づき、通信部２３の中継部２３２が、通信部１３からの無線通信方法Ｎによるポーリング電文が受信できたら、中継部２３２は、ポーリング電文に対する応答の電文を作成し、応答の電文を無線通信方法Ｎにより外部に送出する（Ｔ１１）。
【００７５】
通信部１３は、無線通信方法Ｎにより応答の電文を受信する。
【００７６】
通信部１２から既に送信された無線通信方法Ｍによるポーリング電文については、やがて、タイムアウトとなる（時刻ｔ１）。
【００７７】
通信部１２は、タイムアウトとなったので、再び無線通信方法Ｍによるポーリング電文を作成し、無線通信方法Ｍにより通信部１３の中継部１３１に送信する（Ｔ１３）。
【００７８】
通信部１３の中継部１３１は、無線通信方法Ｍによりポーリング電文を受信し、ポーリング電文を有線にて通信部１３の中継部１３２に送信し、中継部１３２は、無線通信方法Ｍによるポーリング電文をデータとした無線通信方法Ｎによる電文を作成（つまり図２のステップＳ１３を実行）し、無線通信方法Ｎにより通信部２３に送信（つまり図２のステップＳ１５を実行）する（Ｔ１５）。
【００７９】
通信部２３の中継部２３２は、無線通信方法Ｎにより電文を受信し、これを有線にて通信部２３の中継部２３１に送信する。中継部２３１は、電文からデータつまり無線通信方法Ｍによるポーリング電文を取り出し、無線通信方法Ｍにより通信部２２に送信する（Ｔ１７）。
【００８０】
通信部２２は、無線通信方法Ｍによりポーリング電文を受信し、ポーリング電文をポーリングコマンドに変換し、ポーリングコマンドを情報処理部２１に送信する（Ｔ１９）。
【００８１】
情報処理部２１は、ポーリングコマンドを受信し、ポーリングコマンドに対する応答コマンド（例えば、肯定応答のコマンド）を作成し、有線にて応答コマンドを通信部２２に送信する（Ｔ２１）。情報処理部２１は、情報処理部２１を示す識別子を予め有し、応答コマンドに含ませる。
【００８２】
通信部２２は、応答コマンドを無線通信方法Ｍによるポーリング電文に対する応答の電文に変換し、無線通信方法Ｍにより通信部２３の中継部２３１に送信する（Ｔ２３）。
【００８３】
通信部２３の中継部２３１は、無線通信方法Ｍによるポーリング電文に対する応答の電文を受信し、電文を有線にて通信部２３の中継部２３２に送信し、中継部２３２は、無線通信方法Ｍによるポーリング電文に対する応答の電文をデータとして含む無線通信方法Ｎによる電文を生成し、無線通信方法Ｎにより通信部１３に送信する（Ｔ２５）。
【００８４】
通信部１３の中継部１３２は、無線通信方法Ｎにより電文を受信し、これを有線にて通信部１３の中継部１３１に送信する。中継部１３１は、電文からデータつまり無線通信方法Ｍによるポーリング電文に対する応答の電文を取り出し、無線通信方法Ｍにより通信部１２に送信する（Ｔ２７）。
【００８５】
通信部１２は、無線通信方法Ｍにより応答の電文を受信し、電文を情報処理部２１が作成した応答コマンドに変換し、情報処理部１１に有線にて送信する（Ｔ２９：時刻ｔ２）。
【００８６】
こうして、本実施の形態では、情報処理部１１、２１間のポーリングが終了し、その期間においては、通信部１２、２２間のポーリング、および、通信部１３、２３間のポーリングも終了する。
【００８７】
なお、情報処理部１１は、応答コマンドが肯定応答を示すものなら、同様のシーケンスで、通信部１２、通信部１３、通信部２３、通信部２２を介して、情報処理部２１に対し通信を行い、通信が終了したなら、通信部１２にポーリングコマンドを送信し、応答コマンドが肯定応答を示すまで、これを繰り返す。
【００８８】
情報処理部１１は、応答コマンドが否定応答を示すものであった場合でも、通信部１２にポーリングコマンドを送信し、応答コマンドが肯定応答を示すまで、これを繰り返す。
【００８９】
さて、前述の図５において、通信部１３Ａからのポーリング電文（Ｔ１０３）が通信装置２に届くまで通信装置１Ａ、２が近づいた時刻が時刻ｔ１の直前だった場合、通信部１３Ａのポーリング電文（Ｔ１０３）は既にタイムアウトとなっているので、通信部１３Ａは、通信部１２がタイムアウトとなって、無線通信方法Ｍによるポーリング電文を再び送信してくる（Ｔ１０２）まで待ち、再びポーリング電文（Ｔ１０３）を送信し、応答（Ｔ１１１）を受信しなければならない。そのため、通信部１２、２２間のポーリングは時刻ｔ２には終わらず、ポーリングが終わるのは、通信部１２のポーリング電文が再びタイムアウトとなった後になってしまう。
【００９０】
しかしながら、本実施の形態では、通信装置１、２が互いに近づいた時刻が時刻ｔ１の直前だった場合、つまり、ポーリング電文（Ｔ１）に対する応答（Ｔ１１）が時刻ｔ１の直前に送信された場合であっても、上記のように、時刻ｔ２にポーリングを終了できる。
【００９１】
以上説明したように、通信部１３は、無線通信方法Ｎによるポーリング電文を外部に送出し（Ｓ３、Ｔ１）、ポーリング電文に対する応答が送信（Ｓ５：ＹＥＳ、Ｔ１１）された後、通信部１２から無線通信方法Ｍによるポーリング電文が送信されたなら（Ｓ１１：ＹＥＳ、Ｔ１３）、ポーリング電文をデータとした第２の通信方法による電文を外部に送出し（Ｓ１３、Ｓ１５、Ｔ１５）、電文に対する応答の電文（Ｓ１７：ＹＥＳ、Ｔ２５）から第１の通信方法によるポーリング電文への応答を取り出し（Ｓ２１）、通信部１２へ送信し（Ｓ２３、Ｔ２７）、通信部２３は、外部からの第２の通信方法によるポーリング電文（Ｔ１）に対する応答を外部に送出し（Ｔ１１）、外部からの第２の通信方法による電文（Ｔ１５）から第１の通信方法によるポーリング電文を取り出し、通信部２２へ送信し（Ｔ１７）、当該ポーリング電文に対する通信部２２からの応答をデータとした第２の通信方法による電文を外部に送出する（Ｔ２５）ので、通信装置１、２が互いに近づいてから、通信部１２、２２間のポーリングが終了するまでの時間を短くすることができる。
【００９２】
なお、本実施の形態では、無線通信方法を例として説明を行ったが、各通信方法は、有線を用いて行うものであってもよい。
【００９３】
なお、本実施の形態に係る通信装置１や通信装置２の動作方法を装置に実行させるためのコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００９４】
１、２…通信装置
１１、２１…情報処理部
１２、１３、２２、２３…通信部
１３１、１３２、２３１、２３２…中継部
【図１】
0005277209.tif 000002
【図２】
0005277209.tif 000003
【図３】
0005277209.tif 000004
【図４】
0005277209.tif 000005
【図５】
0005277209.tif 000006